(57)【特許請求の範囲】
【請求項１】
予め定めた周波数帯域内にある複数の衛星デジタル放送信号を前記周波数帯域よりも低い周波数帯内に一定の周波数間隔で位置するように周波数変換した複数の衛星デジタル放送第１中間周波信号のうち、隣接する２つのものからなる第１群の衛星デジタル第１中間周波信号が供給され、これを共同受信システムにおいて伝送可能な第１群の衛星デジタル第２中間周波信号に周波数変換する第１のコンバータと、
前記衛星デジタル放送第１中間周波信号のうち第１群とは異なる隣接する２つのものからなる第２群の衛星デジタル第１中間周波信号が供給され、これを前記共同受信システムにおいて伝送可能で、かつ前記第１群の衛星デジタル第２中間周波信号とは異なる周波数となる第２群の衛星デジタル第２中間周波信号に周波数変換する第２のコンバータと、
第１及び第２のコンバータからの第１及び第２群の衛星デジタル第２中間周波信号を合成して、前記共同受信システムに出力する合成器とを、
具備するヘッドエンド用衛星デジタル放送ダウンコンバータ。
【請求項２】
請求項１記載のヘッドエンド用衛星デジタル放送ダウンコンバータにおいて、第１及び第２のコンバータは、
入力された衛星デジタル第１中間周波信号を衛星デジタル第３中間周波信号に周波数変換する第１の周波数変換手段と、
前記衛星デジタル第３中間周波信号を通過させるＳＡＷフィルタと、
このＳＡＷフィルタから出力された衛星デジタル第３中間周波信号を衛星デジタル第２中間周波信号に周波数変換する第２の周波数変換手段とを、
具備するヘッドエンド用衛星デジタル放送ダウンコンバータ。
【請求項３】
請求項１記載のヘッドエンド用衛星デジタル放送ダウンコンバータにおいて、第１及び第２のコンバータは、
入力された衛星デジタル放送第１中間周波信号を衛星デジタル放送第３中間周波信号に周波数変換する第１の周波数変換手段と、
前記衛星デジタル放送第３中間周波信号を通過させるＳＡＷフィルタと、
このＳＡＷフィルタから出力された衛星デジタル第３中間周波信号を衛星デジタル放送第４中間周波信号に周波数変換する第２の周波数変換手段と、
前記衛星デジタル放送第４中間周波信号を前記衛星デジタル放送第２中間周波信号に周波数変換する第３の周波数変換手段とを
具備するヘッドエンド用衛星デジタル放送ダウンコンバータ。
【請求項４】
請求項１記載のヘッドエンド用衛星デジタル放送ダウンコンバータにおいて、第１及び第２の衛星デジタル放送第２中間周波信号は、地上波デジタル放送信号の周波数帯の上側の周波数であるヘッドエンド用衛星デジタル放送ダウンコンバータ。
【請求項５】
請求項１記載のヘッドエンド用衛星デジタル放送ダウンコンバータにおいて、第１及び第２の衛星デジタル放送第２中間周波信号は、地上波デジタル放送信号の周波数帯の下側の周波数であるヘッドエンド用衛星デジタル放送ダウンコンバータ。
【請求項６】
請求項１記載のヘッドエンド用衛星デジタル放送ダウンコンバータにおいて、第１及び第２群の衛星デジタル放送第１中間周波信号は、非隣接の周波数であり、第１及び第２群の衛星デジタル第２中間周波信号は、第１及び第２群の衛星デジタル放送第１中間周波信号の周波数差と同じ周波数差を有しているヘッドエンド用衛星デジタル放送ダウンコンバータ。
【発明の詳細な説明】
【０００１】
【発明の属する技術分野】
本発明は、衛星デジタル放送信号を共同受信システムに伝送するためにヘッドエンドに設けられるダウンコンバータに関する。
【０００２】
【従来の技術】
従来、ＵＨＦ帯及びＶＨＦ帯の地上波テレビジョン放送信号や、衛星アナログ放送信号等を伝送するＣＡＴＶシステムやＳＭＴＶシステム等の共同受信システムを利用して、衛星アナログ放送信号を共同受信システムの各端末まで伝送する場合、共同受信システムで伝送可能な周波数に衛星アナログ放送信号の周波数をヘッドエンド側で変換することが行われている。近い将来、衛星放送において、複数の衛星デジタル放送を行うことが計画されている。これら衛星デジタル放送信号を共同受信システムを介して伝送する場合にも、同様にヘッドエンド側で周波数変換が行われると考えられる。
【０００３】
従来、衛星アナログ放送信号をヘッドエンド側で周波数変換する場合、共同受信システムで伝送される他の信号に妨害を与えないように、１つの衛星アナログ信号ごとに周波数変換を行い、その際に帯域制限することが行われている。この帯域制限には、充分な帯域外減衰量を確保するために、ＳＡＷフィルタが用いられている。衛星デジタル放送信号の場合にも、同様な処理が行われると考えられる。
【０００４】
【発明が解決しようとする課題】
しかし、１つずつ衛星デジタル放送信号の帯域制限を行う場合、各衛星デジタル放送信号ごとにコンバータが必要であり、ヘッドエンドが大型で高価な装置となっている。しかも、各コンバータには、ＳＡＷフィルタを使用しているので、使用されるＳＡＷフィルタの数が多くなり、コストが益々高くなっていた。
【０００５】
本発明は、低コストで衛星デジタル放送信号を共同受信システムで伝送可能な周波数に周波数変換するヘッドエンド用衛星デジタル放送ダウンコンバータを提供することを目的とする。
【０００６】
【課題を解決するための手段】
本発明によるヘッドエンド用衛星デジタル放送ダウンコンバータは、第１及び第２のコンバータを、少なくとも含んでいる。第１及び第２のコンバータは、予め定めた周波数帯域内にある複数の衛星デジタル放送信号を前記周波数帯域よりも低い周波数帯内に一定の周波数間隔で位置するように周波数変換した複数の衛星デジタル放送第１中間周波信号を周波数変換する。第１のコンバータには、上述した複数の衛星デジタル放送第１中間周波信号のうち、隣接する２つのものからなる第１群の衛星デジタル放送第１中間周波信号が供給され、これらを共同受信システムにおいて伝送可能な第１群の衛星デジタル第２中間周波信号に周波数変換する。第２のコンバータには、衛星デジタル放送第１中間周波信号のうち第１群とは異なる隣接する２つのものからなる第２群の衛星デジタル放送第１中間周波信号が供給され、これらを前記共同受信システムにおいて伝送可能で、かつ前記第１群の衛星デジタル第２中間周波数とは異なる周波数となる第２群の衛星デジタル放送第２中間周波信号に周波数変換する。第１及び第２のコンバータからの第１及び第２群の衛星デジタル放送第２中間周波信号を合成器が合成して、前記共同受信システムに出力する。
【０００７】
このヘッドエンド用衛星デジタル放送ダウンコンバータでは、隣接する２つの衛星デジタル放送第１中間周波信号を１つのコンバータによって周波数変換している。従って、各衛星デジタル放送第１中間周波信号ごとに周波数変換する必要がなく、例えば４つの衛星デジタル放送第１中間周波信号を周波数変換する場合、半数の２台のダウンコンバータを設けるだけでよい。無論、４つよりも多くの衛星デジタル放送第１中間周波信号を周波数変換する場合には、コンバータの数を増加させればよいが、増加させる場合でも、衛星デジタル放送第１中間周波信号の数よりも少ない数のコンバータで足りる。
【０００８】
第１及び第２のコンバータは、入力された衛星デジタル第１中間周波信号を衛星デジタル放送第３中間周波信号に周波数変換する第１の周波数変換手段と、衛星デジタル放送第３中間周波信号を通過させるＳＡＷフィルタと、このＳＡＷフィルタから出力された衛星デジタル放送第３中間周波信号を衛星デジタル放送第２中間周波信号に周波数変換する第２の周波数変換手段とを、具備するものとできる。
【０００９】
このように構成した場合、ＳＡＷフィルタを実現しやすい周波数である衛星デジタル第３中間周波信号に衛星デジタル第１中間周波信号を一旦周波数変換しているので、充分な帯域外減衰量を得ることができ、特に２つの衛星デジタル放送第１中間周波信号を纏めて衛星デジタル放送第３中間周波信号に周波数変換しているので、全体的に使用する必要のあるＳＡＷフィルタの数を減少させることができ、コストを低減することができる。
【００１０】
第１及び第２のコンバータは、入力された衛星デジタル放送第１中間周波信号を衛星デジタル放送第３中間周波信号に周波数変換する第１の周波数変換手段と、前記衛星デジタル放送第３中間周波信号を通過させるＳＡＷフィルタと、このＳＡＷフィルタから出力された衛星デジタル第３中間周波信号を衛星デジタル放送第４中間周波信号に周波数変換する第２の周波数変換手段と、前記衛星デジタル放送第４中間周波信号を前記衛星デジタル放送第２中間周波信号に周波数変換する第３の周波数変換手段とを、具備するものとできる。
【００１１】
衛星デジタル放送第２中間周波信号の周波数帯によっては、上述したような２段階の周波数変換を行った場合、既に他の装置で使用されている周波数帯を衛星デジタル放送第３中間周波信号や局部発振信号が使用することがある。このような場合、３段階の周波数変換を行うことによって、既に使用されている周波数帯を、衛星デジタル放送第３及び第４中間周波信号や周波数変換に使用する局部発振信号が使用することを避けることができる。
【００１２】
第１及び第２の衛星デジタル放送第２中間周波信号は、地上波デジタル放送信号の周波数帯の上側の周波数とすることができる。また、第１及び第２の衛星デジタル放送第２中間周波信号は、地上波デジタル放送信号の周波数帯の下側の周波数とすることもできる。
【００１３】
このように構成することによって、地上波デジタル放送信号の共同受信システムでの伝送に影響を与えることなく、衛星デジタル放送第２中間周波信号を共同受信システムで伝送することができる。これら地上波デジタル放送信号の上側及び下側の周波数は、地上波デジタル放送信号の上限周波数及び下限周波数に隣接するものとすることが、周波数の有効利用の観点から望ましい。
【００１４】
第１及び第２群の衛星デジタル放送第１中間周波信号は、非隣接の周波数であり、第１及び第２群の衛星デジタル第２中間周波信号は、第１及び第２群の衛星デジタル放送第１中間周波信号の周波数差と同じ周波数差を有するものとできる。
【００１５】
このように構成した場合、例えば第１群及び第２群の衛星デジタル放送第１中間周波信号の間で、別の衛星デジタル放送第１中間周波信号が存在するように将来なっても、これら別の衛星デジタル放送第１中間周波信号を、第１及び第２群の衛星デジタル放送第２中間周波信号の間の別の衛星デジタル放送第２中間周波信号に周波数変換することが可能となり、衛星デジタル放送第２中間周波信号それぞれの周波数関係が、大きく衛星デジタル第１中間周波信号と異なったものとなることがない。
【００１６】
【発明の実施の形態】
本発明の第１の実施形態の共同受信システムでは、図２に示すように、ヘッドエンド装置２が設けられている。このヘッドエンド装置２には、例えばＵＨＦ帯またはＶＨＦ帯或いは双方の地上波テレビジョン放送信号を受信するためのアンテナ４が設けられている。また、衛星アナログ及びデジタル放送信号を受信するためのアンテナ６が設けられている。
【００１７】
このアンテナ６は、コンバータ８を有し、このコンバータ８は、アンテナ６によって受信された衛星アナログ及びデジタル放送信号を１ＧＨｚ帯の衛星アナログ及びデジタル放送第１中間周波信号に周波数変換して、ヘッドエンド装置２に出力する。
【００１８】
この衛星アナログ及びデジタル放送第１中間周波信号は、図３に示すように、ＢＳ１−ＩＦ１、ＢＳ３−ＩＦ１、ＢＳ５−ＩＦ１、ＢＳ７−ＩＦ１、ＢＳ９−ＩＦ１、ＢＳ１１−ＩＦ１、ＢＳ１３−ＩＦ１、ＢＳ１５−ＩＦ１の８チャンネルである。ＢＳ１−ＩＦ１の中心周波数が１０４９．４８ＭＨｚ、ＢＳ３−ＩＦ１の中心周波数が１０８７．８４ＭＨＺ、ＢＳ５−ＩＦ１の中心周波数が１１２６．２０ＭＨｚ、ＢＳ７−ＩＦ１の中心周波数が１１６４．５６ＭＨｚ、ＢＳ９−ＩＦ１の中心周波数が１２０２．９３ＭＨｚ、ＢＳ１１−ＩＦ１の中心周波数が１２４１．２８ＭＨｚ、ＢＳ１３−ＩＦ１の中心周波数が１２７９．６４ＭＨｚ、ＢＳ１５−ＩＦ１の中心周波数が１３１８．００ＭＨｚである。これらは、それぞれ３７．５０ＭＨｚの帯域幅を有し、各チャンネルの中心周波数の間隔は、いずれも３８．３６ＭＨｚである。即ち、各チャンネルは、一定の周波数間隔で１ＧＨｚ帯の周波数帯に配列されている。隣接したチャンネルであるＢＳ１−ＩＦ１、ＢＳ３−ＩＦ１が第１群の衛星デジタル放送第１中間周波信号である。ＢＳ１−ＩＦ１、ＢＳ３−ＩＦ１とは周波数間隔が離れているが、同じく隣接している２つのチャンネルであるＢＳ１３−ＩＦ１、ＢＳ１５−ＩＦ１が第２群の衛星デジタル放送第１中間周波信号である。これらの間にあるＢＳ５−ＩＦ１、ＢＳ７−ＩＦ１、ＢＳ９−ＩＦ１及びＢＳ１１−ＩＦ１が、衛星アナログ放送第１中間周波信号である。
【００１９】
これら衛星デジタル放送第１中間周波信号ＢＳ１−ＩＦ１、ＢＳ３−ＩＦ１、ＢＳ１３−ＩＦ１、ＢＳ１５−ＩＦ１は、ヘッドエンド２内のダウンコンバータ１０に供給され、ここで、衛星デジタル放送第２中間周波信号ＢＳ１−ＩＦ２、ＢＳ３−ＩＦ２、ＢＳ１３−ＩＦ２、ＢＳ１５−ＩＦ２にそれぞれ周波数変換される。衛星アナログ第１中間周波信号も、図示していないダウンコンバータによって衛星アナログ放送第２中間周波信号に周波数変換される。衛星デジタル放送第２中間周波信号、衛星アナログ放送第２中間周波信号及び地上波テレビジョン放送信号は、混合器１２によって混合され、共同受信システムの伝送路１４を伝送され、それの各端末に設けられたテレビジョン端子１５を介してアップコンバータ１７に供給され、このアップコンバータ１７でデジタル対応テレビジョン受信機１６で処理可能な周波数に変換され、デジタル対応テレビジョン受信機１６に供給される。無論、衛星デジタル及びアナログ放送第２中間周波信号は、いずれも共同受信システムによって伝送可能な周波数帯のものである。
【００２０】
ダウンコンバータ１０は、図１に示すように、入力端子１８を有し、これには、アンテナ６のコンバータ８から衛星デジタル及びアナログ放送第１中間周波信号が供給される。これら衛星デジタル及びアナログ放送第１中間周波信号は、２分配器２０によって２分配される。一方の分配出力である衛星デジタル及びアナログ放送第１中間周波信号は、第１のコンバータ２３に供給される。第１のコンバータ２３では、衛星デジタル及びアナログ放送第１中間周波信号が増幅器２４によって増幅され、バンドパスフィルタ２６に供給される。このバンドパスフィルタ２６の通過帯域は、互いに隣接している衛星デジタル放送第１中間周波信号ＢＳ１−ＩＦ１及びＢＳ３−ＩＦ１を通過させるように下限周波数が１０３０．７３ＭＨｚで上限周波数が１１０６．５９ＭＨｚに選択されている。即ち、このバンドパスフィルタは、約７３ＭＨｚの通過帯域幅を有し、衛星デジタル放送第１中間周波信号ＢＳ１−ＩＦ１及びＢＳ３−ＩＦ１を第１群のブロック信号として出力している。なお、バンドパスフィルタ２６に代えて、遮断周波数が１１０６．５９ＭＨｚよりも若干高いローパスフィルタを使用することもできる。
【００２１】
この第１群のブロック信号（衛星デジタル放送第１中間周波信号ＢＳ１−ＩＦ１及びＢＳ３−ＩＦ１）は、増幅器２８によって増幅された後、第１の周波数変換手段のミキサー３０に供給される。このミキサー３０には、第１周波数変換手段の第１局部発振器３２から第１局部発振信号が供給されている。第１局部発振信号は、その周波数が例えば１２０８．６６ＭＨｚに選択されており、衛星デジタル放送第１中間周波信号ＢＳ１−ＩＦ１はその中心周波数が１５９．１８ＭＨｚの衛星デジタル放送第３中間周波信号ＢＳ１−ＩＦ３に、衛星デジタル放送第１中間周波信号ＢＳ３−ＩＦ１は、その中心周波数が１２０．８２ＭＨｚの衛星デジタル放送第３中間周波信号ＢＳ３−ＩＦ３に、ミキサー３０によって、ダウンコンバートされる。
【００２２】
これら衛星デジタル放送第３中間周波信号ＢＳ１−ＩＦ３、ＢＳ３−ＩＦ３は、増幅器３４によって増幅され、中心周波数が約１４０ＭＨｚで、下限周波数が１０２．０７ＭＨｚで、上限周波数が１７７．９３ＭＨｚであるＳＡＷフィルタ３６に供給される。このようにＳＡＷフィルタ３６によって充分に帯域制限が行われているので、他のＣＡＴＶ信号に衛星デジタル放送第３中間周波信号が妨害を与えることがない。また、ＳＡＷフィルタが実現しやすい周波数とするために、第１の周波数変換手段によってダウンコンバートが行われている。
【００２３】
衛星デジタル放送第３中間周波信号ＢＳ１−ＩＦ３、ＢＳ３−ＩＦ３は、増幅器３８によって増幅された後、第２の周波数変換手段のミキサー４０に供給されている。このミキサー４０には、第２の周波数変換手段の局部発振器４２から第２局部発振信号が供給されている。第２局部発振信号は、例えば５９２．８４ＭＨｚに選択されている。ミキサー４０は、衛星デジタル放送第３中間周波信号ＢＳ１−ＩＦ３、ＢＳ３−ＩＦ３をアップコンバートする。即ち、衛星デジタル放送第３中間周波信号ＢＳ１−ＩＦ３を中心周波数が７５２．０２ＭＨｚの衛星デジタル放送第２中間周波信号ＢＳ１−ＩＦ２に、衛星デジタル放送第３中間周波信号ＢＳ３−ＩＦ３を中心周波数が７１３．６６ＭＨｚの衛星デジタル放送第２中間周波信号ＢＳ３−ＩＦ２に、周波数変換する。
【００２４】
これら衛星デジタル放送第２中間周波信号ＢＳ１−ＩＦ２、ＢＳ３−ＩＦ２は、これらを通過させる下限周波数が６９４．９１ＭＨｚで、上限周波数が７７０．７７ＭＨｚであるバンドパスフィルタ４４によって不要な成分が除去され、増幅器４６によって増幅された後、合成器４８に供給される。なお、バンドパスフィルタ４４に代えて、これら衛星デジタル放送第２中間周波信号BS１−ＩＦ２、BS３−ＩＦ２を通過させることが可能なローパスフィルタを使用することもできる。
【００２５】
一方、分配器２０によって分配された他方の衛星デジタル及びアナログ放送第１中間周波信号は、第２のコンバータ４９に供給される。第２のコンバータ４９では、衛星デジタル及びアナログ放送第１中間周波信号が増幅器５０によって増幅され、バンドパスフィルタ５２に供給される。このバンドパスフィルタ５２の通過帯域は、互いに隣接している衛星デジタル放送第１中間周波信号ＢＳ１３−ＩＦ１及びＢＳ１５−ＩＦ１を通過させるように、下限周波数が１２６０．８９ＭＨｚで上限周波数が１３６０．８９ＭＨｚに選択されている。即ち、このバンドパスフィルタは、約７３ＭＨｚの通過帯域幅を有し、衛星デジタル放送第１中間周波信号ＢＳ１３−ＩＦ１及びＢＳ１５−ＩＦ１を第２群のブロック信号として出力している。なお、バンドパスフィルタ５２に代えて、遮断周波数が１３３６．７５ＭＨｚよりも若干高いローパスフィルタを使用することもできる。
【００２６】
この第２群のブロック信号（衛星デジタル放送第１中間周波信号ＢＳ１３−ＩＦ１及びＢＳ１５−ＩＦ１）は、増幅器５４によって増幅された後、第１の周波数変換手段のミキサー５６に供給される。このミキサー５６には、第１周波数変換手段の第１局部発振器５８から第１局部発振信号が供給されている。第１局部発振信号は、その周波数が例えば１４３８．８２ＭＨｚに選択されており、衛星デジタル放送第１中間周波信号ＢＳ１３−ＩＦ１はその中心周波数が１５９．１８ＭＨｚの衛星デジタル放送第３中間周波信号ＢＳ１３−ＩＦ３に、衛星デジタル放送第１中間周波信号ＢＳ１５−ＩＦ１は、その中心周波数が１２０．８２ＭＨｚの衛星デジタル放送第３中間周波信号ＢＳ３−ＩＦ３に、ミキサー５６によって、ダウンコンバートされる。
【００２７】
これら衛星デジタル放送第３中間周波信号ＢＳ１３−ＩＦ３、ＢＳ１５−ＩＦ３は、増幅器６０によって増幅され、中心周波数が１４０ＭＨｚで、下限周波数が１０２．０７ＭＨｚで、上限周波数が１７７．９３ＭＨｚであるＳＡＷフィルタ６２に供給される。このようにＳＡＷフィルタ６２によって充分に帯域制限が行われているので、他のＣＡＴＶ信号に衛星デジタル放送第３中間周波信号が妨害を与えることがない。また、ＳＡＷフィルタが実現しやすい周波数とするために、第１の周波数変換手段によってダウンコンバートが行われている。ここで、衛星デジタル放送第３中間周波信号ＢＳ１３−ＩＦ３、ＢＳ１５−ＩＦ３は、衛星デジタル放送第３中間周波信号ＢＳ１−ＩＦ３、ＢＳ３−ＩＦ３と同一の周波数であるが、ＳＡＷフィルタ３６、６２を用いているので、互いに干渉することはない。
【００２８】
衛星デジタル放送第３中間周波信号ＢＳ１３−ＩＦ３、ＢＳ１５−ＩＦ３は、増幅器６４によって増幅された後、第２の周波数変換手段のミキサー６６に供給されている。このミキサー６６には、第２の周波数変換手段の局部発振器６８から第２局部発振信号が供給されている。第２局部発振信号は、例えば３６２．６８ＭＨｚに選択されている。ミキサー６６は、衛星デジタル放送第３中間周波信号ＢＳ１３−ＩＦ３、ＢＳ１５−ＩＦ３をアップコンバートする。即ち、衛星デジタル放送第３中間周波信号ＢＳ１３−ＩＦ３を中心周波数が５２１．８６ＭＨｚの衛星デジタル放送第２中間周波信号ＢＳ１３−ＩＦ２に、衛星デジタル放送第３中間周波信号ＢＳ１５−ＩＦ３を中心周波数が４８３．５０ＭＨｚの衛星デジタル放送第２中間周波信号ＢＳ１５−ＩＦ２に、周波数変換する。
【００２９】
これら衛星デジタル放送第２中間周波信号ＢＳ１３−ＩＦ２、ＢＳ１５−ＩＦ２は、これらを通過させる下限周波数が４６４．７５ＭＨｚで、上限周波数が５４０．６１ＭＨｚであるバンドパスフィルタ７０によって不要な成分が除去され、増幅器７２によって増幅された後、合成器４８に供給される。
【００３０】
従って、合成器４８から、図３に示すような衛星デジタル放送第２中間周波信号ＢＳ１−ＩＦ２、ＢＳ３−ＩＦ２、ＢＳ１３−ＩＦ２、ＢＳ１５−ＩＦ２が出力端子４７を介して出力される。これらの周波数配列は、高い方から低い方に向かって順にＢＳ１−ＩＦ２、ＢＳ３−ＩＦ２、ＢＳ１３−ＩＦ２、ＢＳ１５−ＩＦ２となっている。しかも、ＢＳ３−ＩＦ２とＢＳ１３−ＩＦ２との周波数間隔は、衛星デジタル放送第１中間周波信号ＢＳ３−ＩＦ１とＢＳ１３−ＩＦ１との周波数間隔と同一である。
【００３１】
従って、現在衛星アナログ放送に使用されているＢＳ５−ＩＦ１、ＢＳ７−ＩＦ１、ＢＳ９−ＩＦ１、ＢＳ１１−ＩＦ１が衛星デジタル放送で使用されるようになっても、上述したダウンコンバータ１０と同一の構成で、局部発振器３２、４２、５８、６８の発振周波数を変更したものをもう１台設けて、それの第１のコンバータ２３によって、ＢＳ５−ＩＦ１、ＢＳ７−ＩＦ１をＢＳ５−ＩＦ２、ＢＳ７−ＩＦ２に周波数変換し、第２のコンバータ４９によって、ＢＳ９−ＩＦ１、ＢＳ１１−ＩＦ１をＢＳ９−ＩＦ２、ＢＳ１１−ＩＦ２に周波数変換することによって、ＢＳ３−ＩＦ２とＢＳ１３−ＩＦ２との間に、高い方から低い方に向かってＢＳ５−ＩＦ２、ＢＳ７−ＩＦ２、ＢＳ９−ＩＦ２、ＢＳ１１−ＩＦ２を配置することができる。これによって、既に配列されているＢＳ１−ＩＦ２、ＢＳ３−ＩＦ２、ＢＳ１３−ＩＦ２、ＢＳ１５−ＩＦ２の周波数を、新たに衛星デジタル放送が開始されても、変更する必要がない。ＢＳ５−ＩＦ２、ＢＳ７−ＩＦ２、ＢＳ９−ＩＦ２、ＢＳ１１−ＩＦ２の中心周波数は、順に６７５．３０ＭＨｚ、６３６．９４ＭＨｚ、５９８．５８ＭＨｚ、５６０．２２ＭＨｚである。
【００３２】
第２の実施形態のヘッドエンド用衛星デジタル放送ダウンコンバータの周波数配列を図４に示す。このダウンコンバータでは、衛星デジタル放送第２中間周波信号ＢＳ１−ＩＦ２、ＢＳ３−ＩＦ２に隣接して、衛星デジタル放送第２中間周波信号ＢＳ１３−ＩＦ２、ＢＳ１５−ＩＦ２が配列されている。ＢＳ１−ＩＦ２、ＢＳ３−ＩＦ２の中心周波数は、第１の実施の形態と同様に順に７５２．０２ＭＨｚ、７１３．６６ＭＨｚであり、ＢＳ１３−ＩＦ２、ＢＳ１５−ＩＦ２の中心周波数は、順に６７５．３０ＭＨｚ、６３６．９４ＭＨｚである。ＢＳ１５−ＩＦ２よりも低い周波数帯は、地上波デジタル放送で使用される計画がある。従って、これらＢＳ１−ＩＦ２、ＢＳ３−ＩＦ２、ＢＳ１３−ＩＦ２及びＢＳ１５−ＩＦ２を地上波デジタル放送信号と共に、共同受信システムで伝送することが可能である。このような周波数配列にするためには、、第１の実施形態で示したダウンコンバータの局部発振器６８の局部発振周波数を、５１６．１２ＭＨｚに変更するだけでよい。無論ＢＳ１−ＩＦ１、ＢＳ３−ＩＦ１、ＢＳ１３−ＩＦ１、ＢＳ１５−ＩＦ１の周波数は第１の実施の形態と同一である。
【００３３】
地上波デジタル放送が、ＢＳ１５−ＩＦ２より低い周波数で行われない場合であって、衛星アナログ放送が行われているＢＳ１１、ＢＳ９、ＢＳ７、ＢＳ５が衛星デジタル放送で使用されるようになった場合、図４に示すように、ＢＳ１５−ＩＦ２より低い周波数帯で、ＢＳ５−ＩＦ２、ＢＳ７−ＩＦ２、ＢＳ９−ＩＦ２、ＢＳ１１−ＩＦ２を伝送することができる。ＢＳ５−ＩＦ２、ＢＳ７−ＩＦ２、ＢＳ９−ＩＦ２、ＢＳ１１−ＩＦ２の中心周波数は、順に５９８．５８ＭＨｚ、５６０．２２ＭＨｚ、５２１．８６ＭＨｚ、４８３．５０ＭＨｚである。この場合も、図１に示したダウンコンバート１０と同様に構成し、局部発振器３２、４２、５８、６８の局部発振周波数を変更することによって、第１のコンバータ２３によってＢＳ９−ＩＦ１、ＢＳ１１−ＩＦ１をＢＳ９−ＩＦ２、ＢＳ１１−ＩＦ２に周波数変換し、第２のコンバータ４９によってＢＳ７−ＩＦ１、ＢＳ５−ＩＦ１をＢＳ７−ＩＦ２、ＢＳ５−ＩＦ２に周波数変換する。このときも、既に使用されているＢＳ１−ＩＦ２、ＢＳ３−ＩＦ２、ＢＳ１３−ＩＦ２、ＢＳ１５−ＩＦ２の周波数配列を変更する必要はない。
【００３４】
第３の実施の形態のヘッドエンド用衛星デジタル放送ダウンコンバータ１０ａを図５及び図６に示す。このダウンコンバータ１０ａは、図６に示すように、衛星デジタル放送第１中間周波信号ＢＳ１−ＩＦ１、ＢＳ３−ＩＦ１、ＢＳ１３−ＩＦ１及びＢＳ１５−ＩＦ１を、衛星デジタル放送第２中間周波信号ＢＳ１−ＩＦ２、ＢＳ３−ＩＦ２、ＢＳ１３−ＩＦ２及びＢＳ１５−ＩＦ２に周波数変換するものである。、衛星デジタル放送第１中間周波信号ＢＳ１−ＩＦ１、ＢＳ３−ＩＦ１、ＢＳ１３−ＩＦ１及びＢＳ１５−ＩＦ１の周波数は、第１の実施の形態の場合と同一である。衛星デジタル放送第２中間周波信号ＢＳ１−ＩＦ２、ＢＳ３−ＩＦ２、ＢＳ１３−ＩＦ２及びＢＳ１５−ＩＦ２は、地上波デジタル放送の伝送に使用される周波数帯の下限周波数約４６０ＭＨｚよりも低い周波数帯に、これらに隣接して配置されている。例えば、ＢＳ１−ＩＦ２の中心周波数は４０６．７８ＭＨｚ、ＢＳ３−ＩＦ２の中心周波数は３６８．４２ＭＨｚ、ＢＳ１３−ＩＦ２の中心周波数は３３０．０６ＭＨｚ及びＢＳ１５−ＩＦ２の中心周波数は２９１．７０ＭＨｚである。このような周波数帯に周波数変換すると、共同受信システムが、約４６０ＭＨｚよりも低い周波数帯でしか信号を伝送できない旧式のものでも、衛星デジタル放送第２中間周波信号を伝送できる。衛星デジタル放送第２中間周波信号ＢＳ１−ＩＦ２、ＢＳ３−ＩＦ２、ＢＳ１３−ＩＦ２、ＢＳ１５−ＩＦ２は、またチャンネル番号と周波数配列とが一致している。
【００３５】
このように周波数変換を行うために、ダウンコンバータ１０ａは、図５に示すように構成されている。このダウンコンバータ１０ａも、ダウンコンバータ１０と同様に、第１コンバータ２３ａと第２コンバータ４９ａとを有している。図１の第１及び第２ダウンコンバータ２３、４９が、２段階の周波数変換を行っているのに対し、図５の第１及び第２コンバータ２３ａ、４９ａでは、３段階の周波数変換を行っている。これら第１及び第２コンバータ２３ａ、４９ａにおいて、第１及び第２コンバータ２３、４９と同等部分には、同一符号を付して、その説明を省略する。
【００３６】
第１コンバータ２３ａでは、第１の変換手段の局部発振器３２ａの発振周波数が９２８．６６ＭＨｚとされている。従って、ミキサー３０から出力される衛星デジタル放送第３中間周波信号ＢＳ１−ＩＦ３、ＢＳ３−ＩＦ３の中心周波数は、それぞれ１２０．８２ＭＨｚ、１５９．１８ＭＨｚとされている。従って、中心周波数が約１４０ＭＨｚであるＳＡＷフィルタ３６によって不要な成分の除去が充分に行える。また、第２の周波数変換手段の局部発振器４２ａの発振周波数は７９６ＭＨｚとされている。従って、ミキサー４０から出力される衛星デジタル放送第４中間周波信号ＢＳ１−ＩＦ４、ＢＳ３−ＩＦ４の中心周波数は９１６．８２ＭＨｚ、９５５．１８ＭＨｚである。
【００３７】
ミキサー４０からの衛星デジタル放送第４中間周波信号ＢＳ１−ＩＦ４、ＢＳ３−ＩＦ４は、増幅器４３によって増幅された後、下限周波数が８９７．０７ＭＨｚで上限周波数が９７３．９３ＭＨｚであるバンドパスフィルタ４４、増幅器４６を介して第３の周波数変換手段のミキサー８０に供給される。ミキサー８０には、第３の周波数変換手段の局部発振器８２から第３の局部発振信号が供給されている。第３の局部発振信号は、１３２３．６ＭＨｚの周波数である。従って、衛星デジタル放送第４中間周波信号ＢＳ１−ＩＦ４、ＢＳ３−ＩＦ４は、中心周波数が４０６．７８ＭＨｚ、３６８．４２ＭＨｚの衛星デジタル放送第２中間周波信号ＢＳ１−ＩＦ２、ＢＳ３−ＩＦ２に周波数変換され、増幅器８４によって増幅され、合成器４８に供給される。
【００３８】
コンバータ４９ａでは、第１の変換手段の局部発振器５８ａの発振周波数が１１５８．８２ＭＨｚとされている。従って、ミキサー５６から出力される衛星デジタル放送第３中間周波信号ＢＳ１３−ＩＦ３、ＢＳ１５−ＩＦ３の中心周波数は、それぞれ１２０．８２ＭＨｚ、１５９．１８ＭＨｚとされている。従って、ＳＡＷフィルタ６２によって充分に不要な新合成分の除去が行える。また、第２の周波数変換手段の局部発振器６８ａの発振周波数は、局部発振器４２ａの局部発振信号と同じく７９６ＭＨｚとされている。従って、ミキサー６６から出力される衛星デジタル放送第４中間周波信号ＢＳ１３−ＩＦ４、ＢＳ１５−ＩＦ４の中心周波数は９１６．８２ＭＨｚ、９５５．１８ＭＨｚである。
【００３９】
ミキサー６６からの衛星デジタル放送第４中間周波信号ＢＳ１３−ＩＦ４、ＢＳ１５−ＩＦ４は、増幅器６９によって増幅された後、下限周波数が８９７．０７ＭＨｚで、上限周波数が９７３．９３ＭＨｚであるバンドパスフィルタ７０、増幅器７２を介して第３の周波数変換手段のミキサー８６に供給される。ミキサー８６には、第３の周波数変換手段の局部発振器８８から第３の局部発振信号が供給されている。第３の局部発振信号は、１２４６．８８ＭＨｚの周波数である。従って、衛星デジタル放送第４中間周波信号ＢＳ１３−ＩＦ４、ＢＳ１５−ＩＦ４は、中心周波数が３３０．０６ＭＨｚ、２９１．７０ＭＨｚの衛星デジタル放送第２中間周波信号ＢＳ１３−ＩＦ２、ＢＳ１５−ＩＦ２に周波数変換され、増幅器９０によって増幅され、合成器４８に供給される。従って、合成器４８から図６に示すような衛星デジタル放送第２中間周波信号ＢＳ１−ＩＦ２、ＢＳ３−ＩＦ２、ＢＳ１３−ＩＦ２、ＢＳ１５−ＩＦ２が出力端子４７を介して出力される。ミキサー８０、８６の後段側に、ミキサー８０、８６の出力信号をそれぞれ通過させるバンドパスフィルタを設けてもよい。
【００４０】
なお、現在、衛星アナログ放送が行われているＢＳ５、ＢＳ７、ＢＳ９、ＢＳ１１において衛星デジタル放送が行われるようになると、これらを周波数変換した衛星デジタル放送第１中間周波信号ＢＳ５−ＩＦ１、ＢＳ７−ＩＦ１、ＢＳ９−ＩＦ１、ＢＳ１１−ＩＦ１を周波数変換する場合、ダウンコンバータ１０または１０ａと同様な構成のコンバータの各局部発振信号の周波数を適切に選択することによって、地上波デジタル放送の周波数帯の上限周波数約６１８ＭＨｚに隣接した周波数から順に高い周波数に向かってＢＳ１１−ＩＦ２、ＢＳ９−ＩＦ２、ＢＳ７−ＩＦ２、ＢＳ５−ＩＦ２を配置することができる。この場合、ＢＳ１１−ＩＦ２、ＢＳ９−ＩＦ２、ＢＳ７−ＩＦ２、ＢＳ５−ＩＦ２の中心周波数は、順に６３６．９４ＭＨｚ、６７５．３０ＭＨｚ、７１３．６６ＭＨｚ、７５２．０２ＭＨｚである。
【００４１】
このような３段の周波数変換によって、図３及び図４に示したような周波数配列とすることもできる。例えば図３のような周波数配列とする場合には、局部発振器３２ａ、４２ａの発振周波数は上述した値とし、局部発振器８２の発振周波数を１６６８．８４ＭＨｚとすると、ＢＳ１−ＩＦ２を７５２．０２ＭＨｚ、ＢＳ３−ＩＦ２を７１３．６６ＭＨｚとすることができ、局部発振器５８ａ、６８ａの発振周波数を上述した値とし、局部発振器８８の発振周波数を１４３８．６８ＭＨｚとすると、ＢＳ１３−ＩＦ２を５２１．８６ＭＨｚ、ＢＳ１５−ＩＦ２を４８３．５０ＭＨｚとすることができる。図４のような周波数配列とする場合にも、局部発振器３２ａ、４２ａの発振周波数は上述した値とし、局部発振器８２の発振周波数を１６６８．８４ＭＨｚとすると、ＢＳ１−ＩＦ２を７５２．０２ＭＨｚ、ＢＳ３−ＩＦ２を７１３．６６ＭＨｚとすることができ、局部発振器５８ａ、６８ａの発振周波数を上述した値とし、局部発振器８８の発振周波数を１５９２．１２ＭＨｚとすると、ＢＳ１３−ＩＦ２を６７５．３０ＭＨｚ、ＢＳ１５−ＩＦ２を６３６．９４ＭＨｚとすることができる。上記の実施の形態では、２つの衛星デジタル放送中間周波信号を１つのブロックとして周波数変換しているが、ＳＡＷフィルタが３つの衛星デジタル放送中間周波信号を通過させる周波数帯域幅を有していれば、３つの衛星デジタル放送中間周波信号を１つのブロックとして周波数変換できる。
【００４２】
【発明の効果】
以上のように、本発明によれば、１台のコンバータでありながら、第１群及び第２群の衛星デジタル放送第１中間周波信号を、第１群及び第２群の衛星デジタル放送第２中間周波信号に周波数変換することができ、低コストでかつ小型のヘッドエンドを実現することができる。
【図面の簡単な説明】
【図１】本発明の第１の実施の形態のヘッドエンド用衛星デジタル放送ダウンコンバータのブロック図である。
【図２】図１のヘッドエンド用衛星デジタル放送ダウンコンバータを使用した共同受信システムのブロック図である。
【図３】図１のヘッドエンド用衛星デジタル放送ダウンコンバータの周波数配置図である。
【図４】本発明の第２の実施の形態のヘッドエンド用衛星デジタル放送ダウンコンバータの周波数配置図である。
【図５】本発明の第３の実施の形態のヘッドエンド用衛星デジタル放送ダウンコンバータのブロック図である。
【図６】図５のヘッドエンド用衛星デジタル放送ダウンコンバータの周波数配置図である。
【符号の説明】
２３  第１のコンバータ
４８  合成器
４９  第２のコンバータ
【図１】
0004387030.tif 000002
【図２】
0004387030.tif 000003
【図３】
0004387030.tif 000004
【図４】
0004387030.tif 000005
【図５】
0004387030.tif 000006
【図６】
0004387030.tif 000007